(57)【要約】【課題】  搬送中の原稿にすべりが発生しても、原稿画像の読み取りに支障をきたさないようにすることができる原稿読取装置を提供する。【解決手段】  表面読取位置ＦＰの直前に設けられた第２原稿端検知センサＤＳ２により原稿の前端及び後端を検知するとともに、前端が検知されたときから後端が検知されるときまでのステップモータの駆動ステップ数から、読み取り中の原稿に発生するすべりの量を検出する。制御装置は、ステップモータと分離ローラ１８との間に設けられた分離ローラクラッチを制御し、先行する原稿と後続の原稿との間隔を、すべりの量に応じた間隔だけ通常の設定間隔よりも大きく調節する。【選択図】      図１
2005162421.tif 000002
【特許請求の範囲】
【請求項１】
搬送経路に沿って搬送される先行の原稿と後続の原稿との搬送経路上における間隔を調節するための間隔調節手段と、
搬送中の原稿に発生したすべりを検出するすべり検出手段と、
搬送中の原稿に発生したすべりに基づき、前記原稿間の間隔を制御する間隔制御手段とを備えたことを特徴とする原稿読取装置。
【請求項２】
前記すべり検出手段は、画像読み取り中の原稿に発生したすべりを検出することを特徴とする請求項１に記載の原稿読取装置。
【請求項３】
搬送経路に送り込むときの原稿間の間隔を予め設定する間隔設定手段を備え、
前記間隔制御手段は、前記間隔設定手段で設定された間隔となるように前記原稿間の間隔を制御することを特徴とする請求項１又は請求項２に記載の原稿読取装置。
【発明の詳細な説明】
【技術分野】
【０００１】
本発明は、複写機、ファクシミリ、スキャナーや、それらの複合機等に設けられる原稿読取装置に関するものである。
【背景技術】
【０００２】
従来、この種の原稿読取装置として、例えば特許文献１に開示されるものが提案されている。この従来装置においては、分離ローラを駆動する第１モータと、搬送ローラを駆動する第２モータとが設けられている。そして、原稿の先端を検知する第１原稿端検知センサの検知結果から、先行する原稿と後続の原稿との間隔が検出される。この検出された間隔に基づいて後続原稿の不送りの有無が判断され、不送りが生じた場合には第１モータの回転速度が増速制御され、両原稿間の間隔が所定の間隔となるように後続原稿の搬送速度が増速される。
【特許文献１】特開平７−１９６１８１号公報
【発明の開示】
【発明が解決しようとする課題】
【０００３】
上記特許文献１の原稿読取装置は、積層された原稿を一枚ずつ分離して順に搬送経路に送り込もうとするときの不送りを回避し、先行の原稿と後続の原稿との間隔を所定間隔に維持することにより、全ての原稿の読み取りに要するトータル時間を短縮しようとするものである。
【０００４】
ところが、通常の原稿読取装置においては、積載された原稿を分離して搬送経路に送り込むときの他、原稿が搬送経路に送り込まれた後、搬送経路に沿って搬送されているときに原稿にすべりが発生することがある。例えば、読み取り中の原稿にすべりが発生した場合には、後続の原稿の前端側が先行の原稿の後端側に重なり、後続の原稿の前端側が読み取られない問題が発生する。
【０００５】
本発明は、上記課題を解決するためになされたものであって、その目的は、搬送中の原稿にすべりが発生しても、原稿画像の読み取りに支障をきたさないようにすることができる原稿読取装置を提供することにある。
【課題を解決するための手段】
【０００６】
上記目的を達成するため、請求項１に記載の発明は、搬送経路に沿って搬送される先行の原稿と後続の原稿との搬送経路上における間隔を調節するための間隔調節手段と、搬送中の原稿に発生したすべりを検出するすべり検出手段と、搬送中の原稿に発生したすべりに基づき、前記原稿間の間隔を制御する間隔制御手段とを備えたことを特徴とする。
【０００７】
請求項２に記載の発明は、請求項１に記載の発明において、前記すべり検出手段は、画像読み取り中の原稿に発生したすべりを検出することを特徴とする。
請求項３に記載の発明は、請求項１又は請求項２に記載の発明において、搬送経路に送り込むときの原稿間の間隔を予め設定する間隔設定手段を備え、前記間隔制御手段は、前記間隔設定手段で設定された間隔となるように前記原稿間の間隔を制御することを特徴とする。
【発明の効果】
【０００８】
本発明によれば、搬送中の原稿にすべりが発生しても、そのすべりに基づいて先行原稿と後続原稿との間の間隔が調節され、先行原稿と後続原稿とが所定の間隔をおいた状態で順に画像が読み取られるので、原稿画像の読み取りに支障をきたさない原稿読取装置を提供することができる。
【発明を実施するための最良の形態】
【０００９】
以下、この発明に係る原稿読取装置を、コピー機能、スキャナー機能及びファクシミリ機能を備えた複合機に具体化した一実施形態を、図１〜図６に従って説明する。
図２に示すように、原稿読取装置としての複合機１０の上部には、原稿給送部１１、静止原稿載置部１２及び原稿読取機構部１３が装設されている。原稿給送部１１は、複数の原稿を連続的に搬送して、その表裏両面の画像を読み取る場合に、それらの原稿を搬送するための搬送経路を構成する。静止原稿載置部１２は、原稿上から静止画像を読み取る場合に、その原稿を載置する。また、複合機１０の下部には、図示しない周知の記録紙供給部、記録部及び記録紙排出部がそれぞれ装設されている。
【００１０】
図１及び図２に示すように、前記原稿給送部１１には、読み取り前の複数の原稿を積層状態で載置するための原稿台１４と、読み取り後の原稿を積層状態で載置するための原稿排出台１５とが装備されている。そして、この原稿台１４の原稿送込口から、原稿排出台１５の原稿排出口までの間が、前記複数の原稿を連続的に搬送するための搬送経路となっている。
【００１１】
前記原稿台１４の原稿送込口の近傍には、原稿台１４に載置された複数枚の原稿の前端と当接するように、開閉可能なシャッタ１６が配設されている。シャッタ１６の上流側には、原稿台１４上に載置された複数枚の原稿の上面に当接して、その一番上の原稿を搬送経路側に送り出すためのピックアップローラ１７が配設されている。シャッタ１６の下流側には、ピックアップローラ１７によりシャッタ１６を通過して送り出された原稿を、１枚ずつ分離して搬送経路内に送り込むための分離ローラ１８及び分離パッド１８ａが配設されている。
【００１２】
図１及び図２に示すように、前記原稿給送部１１の分離ローラ１８の下流側には、レジストローラ１９、第１搬送ローラ２０、第２搬送ローラ２１、表面読取用ローラ２２、第３搬送ローラ２３、裏面読取用ローラ２４、及び第４搬送ローラ２５が搬送経路に沿って原稿の搬送順に配設されている。これらのローラ１９〜２５のうちで、レジストローラ１９、第１搬送ローラ２０、第２搬送ローラ２１、第３搬送ローラ２３及び第４搬送ローラ２５には、アイドルローラ１９ａ，２０ａ，２１ａ，２３ａ，２５ａがそれぞれ接触配置されている。
【００１３】
前記ピックアップローラ１７から第４搬送ローラ２５までの各ローラ１７〜２５は、図３に示す１つの駆動モータとしてのステップモータ２６に作動連結されて回転駆動されるようになっている。また、これらのローラ１７〜２５のうちで、ピックアップローラ１７及び分離ローラ１８とステップモータ２６との間、並びにレジストローラ１９とステップモータ２６との間には、図３に示す電磁式のクラッチ２７，２８がそれぞれ介装され、必要に応じて各ローラ１７〜１９とステップモータ２６との作動連結が遮断されるようになっている。さらに、前記裏面読取用ローラ２４と対応する位置には密着型イメージセンサ２９が配設されている。
【００１４】
図１に示すように、前記原稿給送部１１の原稿台１４には、原稿台１４上に載置された原稿の幅に基づいて副走査方向のサイズを検知するための原稿サイズ検知センサＤＬＳが設けられている。ピックアップローラ１７とシャッタ１６との間には、シャッタ１６に当接された原稿の有無を検知する原稿有無検知センサＤＳ１が設けられている。分離ローラ１８とレジストローラ１９との間において分離ローラ１８寄りの位置には、搬送中の原稿の端部を検知する第１原稿端検知センサＤＳＳが設けられている。
【００１５】
さらに、レジストローラ１９の近傍には、レジストローラ１９に原稿の前端が当接したことを検知するためのレジストセンサＤＲＳが設けられている。第１搬送ローラ２０と第２搬送ローラ２１との間において第２搬送ローラ２１寄りの位置には、搬送中の原稿の端部を検知する第２原稿端検知センサＤＳ２が設けられている。第３搬送ローラ２３と裏面読取用ローラ２４との間には、搬送中の原稿の端部を検知する第３原稿端検知センサＤＳ３が設けられている。
【００１６】
図２に示すように、前記静止原稿載置部１２には、上面に原稿を載置するための透明な原稿載置板３０と、その原稿載置板３０上に開閉回動可能に配設された押え蓋３１とが装備されている。そして、前記原稿給送部１１の原稿台１４及び原稿排出台１５は、この静止原稿載置部１２の押え蓋３１上に配設されている。
【００１７】
図１及び図２に示すように、前記原稿読取機構部１３には、透光板３２、光源３３、第１ミラー３４、第２ミラー３５、第３ミラー３６、集光レンズ３７及び撮像素子（ＣＣＤ）３８が装備されている。透光板３２は、原稿給送部１１の表面読取用ローラ２２に対抗配置されている。光源３３は、透光板３２上を通過する原稿、または原稿載置板３０上に載置された原稿に光を照射する。第１〜第３ミラー３４〜３６は、原稿からの反射光の光路を変更する。集光レンズ３７は、第３ミラー３６からの光を撮像素子３８上に収束させる。撮像素子３８は、集光レンズ３７を通して入射した光に基づいて原稿の画像を読み取るとともに、その読み取った原稿の画像信号を出力する。
【００１８】
前記光源３３及び第１ミラー３４は、副走査方向に移動可能な第１キャリッジ３９上に支持されている。また、第２及び第３ミラー３５，３６は、同じく副走査方向に移動可能な第２キャリッジ４０上に支持されている。そして、図示しない周知の移動機構によって、第１キャリッジ３９が第２キャリッジ４０の２倍の移動速度で移動されるようになっている。
【００１９】
これにより、前記原稿給送部１１による複数の原稿の連続搬送時には、第１キャリッジ３９が、その移動範囲のほぼ中央に設定された待機位置Ｐ１から、透光板３２の真下に対向位置する読取位置Ｐ２に移動配置される。また、静止原稿載置部１２に載置された原稿上の静止画像の読み取り時には、第１キャリッジ３９が、原稿載置板３０の原稿給送部１１側における端部の真下に対向位置する位置Ｐ３と、原稿載置板３０の反対側端部の真下に対向位置する位置Ｐ４との間で移動される。
【００２０】
そして、前記のような構成の原稿給送部１１及び原稿読取機構部１３により原稿自動読取装置（ＡＤＦ）が構成され、第１及び第２キャリッジ３９，４０が読取位置Ｐ２に配置された状態で、透光板３２上を通過する原稿上の画像の読み取りを行う。また、静止原稿載置部１２及び原稿読取機構部１３によりフラットベッドスキャナ（ＦＢＳ）が構成され、両キャリッジ３９，４０が位置Ｐ３から位置Ｐ４まで移動される間で、原稿載置板３０上に載置された原稿上の画像の読み取りを行う。
【００２１】
次に、前記のように構成された複合機１０の電気的構成について説明する。
図３に示すように、複合機１０は、制御装置４１、操作部４２の他、図示しない周知の表示部、画像メモリ、コーデック、モデム及びＮＣＵ（ネットワークコントロールユニット）等を備えている。制御装置４１はＭＰＵ４１ａ、ＲＯＭ４１ｂ、不揮発性メモリからなるＲＡＭ４１ｃ等から構成され、複合機１０全体の動作を制御する。操作部４２は、コピー機能、スキャナー機能及びファクシミリ機能のいずれかを設定することができるようになっている。また、操作部４２は、原稿読取装置又はフラットベッドスキャナ使用時に、原稿の読み取りを開始させるための図示しないスタートボタンを備えている。さらに、操作部４２では、原稿給送部１１で搬送経路に沿って原稿を順に搬送しているときの先行原稿の後端と後続原稿の前端との間隔を、通常の設定間隔よりも大きくするための設定を行うことができるようになっている。この設定は、前記設定間隔に加算される第１調節間隔の数値を入力することで行われる。この入力作業は、複合機１０を工場から出荷する前の調整時、あるいは、保守点検時等にオペレータやサービスマン等の作業者によって行われる。
【００２２】
前記設定間隔は、搬送経路内を搬送される原稿にすべりが発生しないと仮定して、同一の機種の複合機１０に共通に設定される搬送中の原稿間の間隔であって、原稿台１４上に載置された一連の原稿を全て読み取るために必要となるトータル時間を短縮するために、できるだけ短く設定されている。
【００２３】
また、前記第１調節間隔は、複合機１０の個体に固有な要因に基づく原稿のすべりに対処して、読み取り中の原稿とその後続の原稿との間隔を前記設定間隔とするために、同一機種の複合機１０の個体毎に設定され、前記設定間隔に加算される。複合機１０の個体に固有な要因としては、複合機１０の各部品及び組立体の寸法ばらつきに起因する各搬送ローラ２０，２１，２３，２５と原稿との摩擦力のばらつきや、複合機１０の経年変化に基づく同摩擦力の変化がある。
【００２４】
制御装置４１は、操作部４２から入力された前記第１調節間隔をＲＡＭ４１ｃに記憶する。
本実施形態では、分離ローラ１８、ステップモータ２６、分離ローラクラッチ２７、制御装置４１及び第１原稿端検知センサＤＳＳが間隔調節手段を構成する。また、ステップモータ２６、制御装置４１及び第２原稿端検知センサＤＳ２がすべり検出手段を構成する。さらに、制御装置４１が間隔制御手段であり、制御装置４１及び操作部４２が間隔設定手段を構成する。
【００２５】
制御装置４１は、ステップモータ２６を作動させてステップモータ２６に作動連結された各ローラ１７，１８，１９，２０，２１，２３，２５を駆動させ、原稿台１４上に積載されている原稿を１枚ずつ搬送経路に連続的に繰り込み、搬送経路に沿って順に搬送する搬送制御を実行する。このとき、制御装置４１は、原稿端検知センサＤＳＳ，ＤＳ２，ＤＳ３による原稿の前端及び後端の検知結果と、ステップモータ２６の駆動ステップ数とに基づいて搬送経路上における原稿の位置を把握する。そして、制御装置４１は、原稿読取機構部１３を制御して、搬送中の原稿の表面画像を表面読取位置ＦＰで読み取る読取制御と、イメージセンサ２９を制御して、搬送中の原稿の裏面画像を裏面読取位置ＢＰで読み取る読取制御とを実行する。
【００２６】
また、制御装置４１は、前記搬送制御において、第２原稿端検知センサＤＳ２による原稿の前端及び後端の検知結果と、ステップモータ２６の駆動ステップ数とに基づき、読み取り中の原稿と、各搬送ローラ２０，２１，２３，２５との間にすべりが発生したか否かを判定するすべり検出処理を実行する。さらに、制御装置４１は、前記搬送制御において、すべり検出処理での検出結果に基づき、先に搬送経路内に送り込んだ原稿の後端と、この次に送り込む原稿の前端との間の間隔を調節する送り込み処理を実行する。
【００２７】
次に、前記のように構成された複合機１０の動作を説明する。
この複合機１０において、原稿給送部１１を使用して、原稿台１４上に積載されている複数の原稿を連続的に搬送する場合には、制御装置４１の制御に基づいて、図４及び図５のフローチャートに示す送り込み処理と、図６のフローチャートに示すすべり検出処理とが実行される。
【００２８】
まず、図４，５に示す原稿の送り込み処理について説明する。
さて、スタートボタンが押されると（Ｓ１００）、原稿有無検知センサＤＳ１からの検知信号に基づいて、原稿台１４上に原稿が載置されているか否かが判別される（Ｓ１０１）。原稿が存在しているときには、原稿サイズ検知センサＤＬＳからの検知信号により、原稿の副走査方向のサイズが判別され、そのサイズがＲＡＭ４１ｃに保存される（Ｓ１０２）。
【００２９】
その後、ステップモータ２６が起動されるとともに、レジストローラクラッチ２８が遮断状態から接続状態に切り換えられる（Ｓ１０３）。続いて、分離ローラクラッチ２７が遮断状態から接続状態に切り換えられる（Ｓ１０４）。これにより、ステップモータ２６の回転がピックアップローラ１７、分離ローラ１８及びレジストローラ１９等に伝達され、それらのローラ１７〜１９の回転に伴い、原稿台１４上から最初の１枚の原稿が搬送経路に送り込まれる。
【００３０】
続いて、分離ローラ１８によってレジストローラ１９側に搬送された原稿の前端が、第１原稿端検知センサＤＳＳによって検知されたか否かが判別される（Ｓ１０５）。そして、原稿の前端が検知されると、ステップモータ２６の駆動ステップ数に基づいて、その検知位置からの原稿の搬送量の計測が開始される（Ｓ１０６）。
【００３１】
次に、前記検知位置からの原稿の搬送量が、ＲＡＭ４１ｃに記憶された原稿のサイズに対応する搬送量、すなわち、原稿の後端が分離ローラ１８から外れる位置まで搬送される搬送量に達したか否かが判断される（Ｓ１０７）。原稿の搬送量が所定値に達したときには、分離ローラクラッチ２７が遮断状態に切り換えられて、ピックアップローラ１７及び分離ローラ１８が停止される（Ｓ１０８）。これにより、原稿台１４上からの後続の原稿の繰り込みが一時的に停止され、この状態で先行の原稿がレジストローラ１９によって搬送され続ける。
【００３２】
その後、レジストローラ１９によって搬送されている原稿の後端が、第１原稿端検知センサＤＳＳによって検知されたか否かが判別される（Ｓ１０９）。第１原稿端検知センサＤＳＳによって原稿の後端が検出されたときに、この先行の原稿と、分離ローラ１８まで送り込まれた状態で搬送が停止されている後続の原稿との間隔が前記設定間隔となる。すなわち、設定間隔は、分離ローラ１８と、第１原稿端検知センサＤＳＳとの位置関係によって設定される。第１原稿端検知センサＤＳＳによって原稿の後端が検知されると、予め操作部４２から入力された前記第１調節間隔と、図６のフローチャートで示す原稿のすべり検出処理の結果に基づいて設定された第２調節間隔とを加算した調節間隔分だけ、その検出位置から原稿がさらに搬送されたか否かが判定される（Ｓ１１０）。
【００３３】
この第２調節間隔は、搬送経路に沿って搬送される先行原稿と後続原稿との間隔を前記設定間隔よりも大きくするために、第１調節間隔と共に設定間隔に加算される間隔である。第２調節間隔は、読み取り中の原稿に実際に発生するすべりに対処して、画像読み取り中の原稿とその後続原稿との間隔を設定間隔とするために設定間隔に加算される。そして、第２調節間隔は、表面の画像読み取り中の原稿に発生したすべりの量と同じである。本実施形態において、この第２調節間隔が加算された調節間隔は、画像読み取り中の原稿の後続原稿と、この後続原稿のさらに後続の原稿との間隔を調節するために用いられる。すなわち、画像読み取り中の原稿に発生したすべりの量に基づいて、その画像読み取り中の原稿とその後続原稿との間隔が調節される訳ではない。つまり、画像読み取り中の原稿のすべりが検出されたときには、この原稿の後続原稿はすでに分離ローラ１８を超えた位置に搬送されているため、この後続原稿と、すべりを生じた先行原稿との間隔を調節することはできない。従って、すべりを生じた原稿とその後続原稿との間隔は、第１調節間隔のみに基づいて調節されることになる。
【００３４】
続いて、第１原稿端検知センサＤＳＳによって後端が検知された検出位置から原稿が前記調節間隔分だけ搬送されると、原稿有無検知センサＤＳ１からの検知信号に基づいて、原稿台１４上に原稿が存在するか否かが判別される（Ｓ１１１）。原稿台１４上に後続の原稿があるときには、再び分離ローラクラッチ２７が接続されて以降の処理が繰り返し実行される（Ｓ１０４〜Ｓ１１１）。これにより、原稿台１４上に載置された複数の原稿は、搬送経路に順次送り込まれるとともに、第１調節間隔及び第２調節間隔が設定間隔に加算された間隔を先行原稿と後続原稿との間に開けた状態で搬送経路に沿って順に搬送される。但し、最初に搬送経路に送り込まれる原稿と次に送り込まれる原稿との間隔は、設定間隔に第１調節間隔のみが加算された間隔となる。これに対して、原稿台１４上に原稿がない場合には、この送り込み処理が終了される（Ｓ１１１）。
【００３５】
次に、図６に示す原稿のすべり検出処理について説明する。
さて、前記送り込み処理にて搬送経路に繰り込まれた原稿の搬送中に、まず、この原稿の前端が第２原稿端検知センサＤＳ２にて検知されたか否かが判定される（Ｓ２００）。原稿の前端が第２原稿端検知センサＤＳ２にて検知されると、ステップモータ２６の駆動ステップ数を用いて、この検出位置からの原稿の搬送量がカウントされる（Ｓ２０１）。
【００３６】
続いて、この原稿の後端が第２原稿端検知センサＤＳ２にて検知されたか否かが判定される（Ｓ２０２）。原稿の後端が第２原稿端検知センサＤＳ２にて検知されると、ステップモータ２６の駆動ステップ数のカウントが停止される（Ｓ２０３）。なお、前記読取制御においては、原稿の前端が検知された後、ステップモータ２６の駆動ステップ数が所定分だけ進んだ時点から、表面読取位置ＦＰにおける原稿の表面画像の読み取りが開始される。また、原稿の後端が検知された後、駆動ステップ数が所定分だけ進んだ時点で、表面読取位置ＦＰにおける表面画像の読み取りが終了する。
【００３７】
次に、原稿の前端が検知されてから後端が検知されるまでにカウントされた駆動ステップ数のカウント値から、予め設定されている所定の基準値を差し引いたステップ数が、原稿に発生したすべり量として求められる（Ｓ２０４）。この基準値は、第２原稿端検知センサＤＳ２にて前端が検知されてから後端が検知されるまで原稿がすべりなく搬送されるときにおけるステップモータ２６の駆動ステップ数のカウント値である。この基準値は、予めＲＡＭ４１ｃに記憶されている。そして、前記すべり量が求められた後、本処理が終了される。このすべり検出処理において求められたすべり量が、前記第２調節間隔として用いられる。
【００３８】
前記のように、この実施形態の複合機１０においては、読み取り中の原稿に発生するすべりの量に対応する第２調節間隔が、搬送経路に沿って順に搬送される原稿間の通常の設定間隔に加算される。このため、画像読み取り中の原稿にすべりが発生しても、この原稿と後続原稿との間に設定間隔が確保される。従って、一連の原稿全ての読み取りに要するトータル時間を短縮するために原稿間の設定間隔をできるだけ小さく設定していても、画像読み取り中の原稿に後続原稿が重なるようなことはなく、原稿の読み取りに支障をきたすことがない。
【００３９】
また、この実施形態では、前記第２調節間隔に加え、操作部４２からの入力によって予め設定された第１調節間隔が通常の設定間隔に加算される。従って、複合機１０の個体差や、経年変化等により、読み取り中の原稿にある量のすべりが常に発生するようなときに、原稿台１４上から最初に搬送経路に送り込まれた原稿と、この後続の原稿との間隔をほぼ設定間隔に調節することができる。そして、一連の原稿の読み取り時に、全ての原稿の読み取りに支障をきたさないようにすることができる。
【００４０】
なお、本実施形態では、搬送中の先行原稿と後続原稿との間隔を、分離ローラ１８を用いて調節したが、レジストローラ１９を用いて調節する構成としてもよい。詳述すると、前記後続原稿の前端がレジストセンサＤＲＳで検知されたときに、レジストローラクラッチ２８を遮断してレジストローラ１９の回転を停止させる。これにより、後続原稿の搬送を停止させるとともにその停止期間を調節することで、先行原稿と後続原稿との間隔を調節する。この場合には、原稿の搬送を停止している間に、その原稿の斜行を矯正することができる。
【００４１】
また、読み取り中の原稿に限らず、読み取り前の搬送中の原稿に発生するすべりの量に基づいて、搬送中の先行原稿と後続原稿との間隔を制御する構成としてもよい。詳述すると、先ず、第１原稿端検知センサＤＳＳを通過しているときの原稿に発生するすべりの量を、第１原稿端検知センサＤＳＳによる原稿の前端及び後端の検知間隔に基づいて制御装置４１が検出する。そして、この原稿のすべり量を前記第２調節間隔として用いて、上記原稿とその後続原稿との間隔を調節する。
【図面の簡単な説明】
【００４２】
【図１】この実施形態の複合機における原稿給送部及び読取部を示す縦断面図。
【図２】複合機の上部を示す縦断面図。
【図３】電気的構成を示すブロック図。
【図４】送り込み処理のフローチャート。
【図５】送り込み処理のフローチャート。
【図６】すべり検出処理のフローチャート。
【符号の説明】
【００４３】
１０…原稿読取装置としての複合機、１８…間隔調節手段を構成する分離ローラ、２６…間隔調節手段、すべり検出手段を構成するステップモータ、２７…間隔調節手段を構成する分離ローラクラッチ、４１…間隔調節手段、すべり検出手段、間隔制御手段及び間隔設定手段を構成する制御装置、４２…間隔設定手段を構成する操作部、ＤＳＳ…間隔調節手段を構成する第１原稿端検知センサ、ＤＳ２…すべり検出手段を構成する第２原稿端検知センサ。
【図１】
2005162421.tif 000003
【図２】
2005162421.tif 000004
【図３】
2005162421.tif 000005
【図４】
2005162421.tif 000006
【図５】
2005162421.tif 000007
【図６】
2005162421.tif 000008